(57)【特許請求の範囲】
【請求項１】
通信回線を介して互いに接続された一方の通信装置と他方の通信装置とのうち、前記一方の通信装置との間の電気的特性を、前記一方の通信装置に送信された校正信号と、前記校正信号に応じた反射信号とに基づいて算出する電気的特性算出手段と、
前記電気的特性算出手段による算出結果に応じて、前記一方の通信装置に送信する信号を設定されたパラメータに基づいて変換する信号変換手段に設定される前記パラメータを決定するパラメータ決定手段と、
前記パラメータ決定手段が決定した前記パラメータを前記信号変換手段に設定するパラメータ設定手段と、
前記校正信号と前記反射信号とに基づいて、前記一方の通信装置との間でインピーダンス整合されたか否かを判定する整合判定手段とを備え、
前記パラメータ決定手段は、前記整合判定手段による判定結果と、前記電気的特性算出手段による算出結果とに基づいて、前記パラメータを決定する
ことを特徴とする信号調整用モジュール。
【請求項２】
所定の周波数および所定のレベルに調整した前記校正信号を生成する校正信号生成手段を含む
請求項１に記載の信号調整用モジュール。
【請求項３】
前記電気的特性算出手段は、前記一方の通信装置との間の電気的特性として、前記一方の通信装置との間の等価回路の構成要素の特性値を算出する
請求項１または請求項２に記載の信号調整用モジュール。
【請求項４】
請求項１から請求項３のうちいずれかに記載の信号調整用モジュールと、
前記信号変換手段とを備えた
ことを特徴とする通信モジュール。
【請求項５】
前記信号変換手段は、前記パラメータ設定手段が設定した前記パラメータに応じて、前記校正信号および前記他方の通信装置が送信した信号を変換する
請求項４記載の通信モジュール。
【請求項６】
通信回線を介して互いに接続された一方の通信装置と他方の通信装置とのうち、前記一方の通信装置との間の電気的特性を、前記一方の通信装置に送信された校正信号と、前記校正信号に応じた反射信号とに基づいて算出する電気的特性算出ステップと、
前記電気的特性算出ステップにおける算出結果に応じて、前記一方の通信装置に送信する信号を設定されたパラメータに基づいて変換する信号変換手段に設定される前記パラメータを決定するパラメータ決定ステップと、
前記パラメータ決定ステップで決定した前記パラメータを前記信号変換手段に設定するパラメータ設定ステップと、
前記校正信号と前記反射信号とに基づいて、前記一方の通信装置との間でインピーダンス整合されたか否かを判定する整合判定ステップとを含み、
前記パラメータ決定ステップで、前記整合判定ステップによる判定結果と、前記電気的特性算出ステップによる算出結果とに基づいて、前記パラメータを決定する
ことを特徴とする信号調整方法。
【請求項７】
コンピュータに、
通信回線を介して互いに接続された一方の通信装置と他方の通信装置とのうち、前記一方の通信装置との間の電気的特性を、前記一方の通信装置に送信された校正信号と、前記校正信号に応じた反射信号とに基づいて算出する電気的特性算出処理と、
前記電気的特性算出処理による算出結果に応じて、前記一方の通信装置に送信する信号を設定されたパラメータに基づいて変換する信号変換手段に設定される前記パラメータを決定するパラメータ決定処理と、
前記パラメータ決定処理で決定した前記パラメータを前記信号変換手段に設定するパラメータ設定処理と、
前記校正信号と前記反射信号とに基づいて、前記一方の通信装置との間でインピーダンス整合されたか否かを判定する整合判定処理とを実行させ、
前記パラメータ決定処理で、前記整合判定処理による判定結果と、前記電気的特性算出処理による算出結果とに基づいて、前記パラメータを決定させる
ための信号調整用プログラム。
【発明の詳細な説明】
【技術分野】
【０００１】
本発明は、インピーダンス整合するためのパラメータを設定する信号調整用モジュール、通信モジュール、信号調整方法、および信号調整用プログラムに関する。
【背景技術】
【０００２】
アナログ通信回線が接続されたＰＢＸ（Ｐｒｉｖａｔｅ  Ｂｒａｎｃｈ  ｅＸｃｈａｎｇｅ）または当該ＰＢＸに相当する装置（以下、単にＰＢＸという）等の対向装置に一端が接続された通信回線の他端と、内線電話網とが接続された通信装置であるトランクがある。
【０００３】
トランクと通信回線を介した対向装置との間でインピーダンス整合してバランシングネットワーク（以下、ＢＮＷという）を構成するために、以下の処理が行われる。すなわち、まず、通信回線に用いられるケーブルの種別や線路長等が調査される。そして、調査結果に応じて、トランクに、バランシングネットワークを構成するための補正用パラメータが設定される。ここで、当該補正用パラメータは、予めトランクに登録されている複数の補正用パラメータから、調査結果に応じて選択されて設定される。
【０００４】
特許文献１には、通信回路においてバランシングネットワーク調整を行う場合に、オンフック状態になったときに、抵抗値や容量値等の回線パラメータを測定することが記載されている。
【０００５】
特許文献２には、入力された試験用の音声信号に応じて算出した指標値に基づいて、予め用意されているインピーダンスからハイブリッド回路のインピーダンスを決定する方法が記載されている。
【０００６】
特許文献３には、ハイブリッドＰＢＸと音声品質調査装置との間をインピーダンス整合させる場合に、エコー戻り量を極小化するようにＢＮＷのパラメータを設定するエコーキャンセラが記載されている。
【先行技術文献】
【特許文献】
【０００７】
【特許文献１】特開平１０−３２８４８号公報
【特許文献２】特開２００８−２７８３５６号公報
【特許文献３】特開２００５−１７６０７１号公報
【発明の概要】
【発明が解決しようとする課題】
【０００８】
しかし、特許文献１に記載されているような方法で測定された調査結果に応じて設定される補正用パラメータは、特許文献２に記載されている方法のように、予め用意されている複数の補正用パラメータから選択されるので、トランクと通信回線を介した対向装置との間を精緻にインピーダンス整合してＢＮＷを構成することは困難である。したがって、伝送距離、および配線条件等の制約や、通信回線を介して送受信される信号に基づく音声の質の劣化等の問題が生じうる。
【０００９】
また、特許文献３に記載されているようなエコーキャンセラが用いられるよりも、エコーが生じないようにＢＮＷのパラメータが適切に設定されることが好ましい。
【００１０】
そこで、本発明は、インピーダンス整合するためのパラメータを適切に設定することができる信号調整用モジュール、通信モジュール、信号調整方法、および信号調整用プログラムを提供することを目的とする。
【課題を解決するための手段】
【００１１】
本発明による信号調整用モジュールは、通信回線を介して互いに接続された一方の通信装置と他方の通信装置とのうち、一方の通信装置との間の電気的特性を、一方の通信装置に送信された校正信号と、校正信号に応じた反射信号とに基づいて算出する電気的特性算出手段と、電気的特性算出手段による算出結果に応じて、一方の通信装置に送信する信号を設定されたパラメータに基づいて変換する信号変換手段に設定されるパラメータを決定するパラメータ決定手段と、パラメータ決定手段が決定したパラメータを信号変換手段に設定するパラメータ設定手段と、校正信号と反射信号とに基づいて、一方の通信装置との間でインピーダンス整合されたか否かを判定する整合判定手段とを備え、パラメータ決定手段は、整合判定手段による判定結果と、電気的特性算出手段による算出結果とに基づいて、パラメータを決定することを特徴とする。
【００１２】
本発明による通信モジュールは、いずれかの態様の信号調整用モジュールと、信号変換手段とを備えたことを特徴とする。
【００１３】
本発明による信号調整方法は、通信回線を介して互いに接続された一方の通信装置と他方の通信装置とのうち、一方の通信装置との間の電気的特性を、一方の通信装置に送信された校正信号と、校正信号に応じた反射信号とに基づいて算出する電気的特性算出ステップと、電気的特性算出ステップにおける算出結果に応じて、一方の通信装置に送信する信号を設定されたパラメータに基づいて変換する信号変換手段に設定されるパラメータを決定するパラメータ決定ステップと、パラメータ決定ステップで決定したパラメータを信号変換手段に設定するパラメータ設定ステップと、校正信号と反射信号とに基づいて、一方の通信装置との間でインピーダンス整合されたか否かを判定する整合判定ステップとを含み、パラメータ決定ステップで、整合判定ステップによる判定結果と、電気的特性算出ステップによる算出結果とに基づいて、パラメータを決定することを特徴とする。
【００１４】
本発明による信号調整用プログラムは、コンピュータに、通信回線を介して互いに接続された一方の通信装置と他方の通信装置とのうち、一方の通信装置との間の電気的特性を、一方の通信装置に送信された校正信号と、校正信号に応じた反射信号とに基づいて算出する電気的特性算出処理と、電気的特性算出処理による算出結果に応じて、一方の通信装置に送信する信号を設定されたパラメータに基づいて変換する信号変換手段に設定されるパラメータを決定するパラメータ決定処理と、パラメータ決定処理で決定したパラメータを信号変換手段に設定するパラメータ設定処理と、校正信号と反射信号とに基づいて、一方の通信装置との間でインピーダンス整合されたか否かを判定する整合判定処理とを実行させ、パラメータ決定処理で、整合判定処理による判定結果と、電気的特性算出処理による算出結果とに基づいて、パラメータを決定させることを特徴とする。
【発明の効果】
【００１５】
本発明によれば、インピーダンス整合するためのパラメータを適切に設定することができる。
【図面の簡単な説明】
【００１６】
【図１】本発明の第１の実施形態の信号調整用システムの構成例を示すブロック図である。
【図２】アナログ局線トランクと対向局装置との間の環境条件を示す説明図である。
【図３】本実施形態におけるＦＰＧＡおよびパラメータ設定用回路の動作を示すシーケンス図である。
【図４】本発明の第２の実施形態の信号調整用モジュールの構成例を示すブロック図である。
【発明を実施するための形態】
【００１７】
実施形態１．
本発明の第１の実施形態の信号調整用システム１６０について、図面を参照して説明する。図１は、本発明の第１の実施形態の信号調整用システム１６０の構成例を示すブロック図である。図１に示すように、本発明の第１の実施形態の信号調整用システム１６０は、ＦＰＧＡ（Ｆｉｅｌｄ  Ｐｒｏｇｒａｍｍａｂｌｅ  Ｇａｔｅ  Ａｒｒａｙ）１２０と、パラメータ設定用回路１１０とを含む。そして、本発明の第１の実施形態の信号調整用システム１６０は、例えば、アナログＣＯＤＥＣ（Ｃｏｄｅｒ−Ｄｅｃｏｄｅｒ）１３０、およびハイブリッド回路１４０とともに、アナログ局線トランク１００に搭載されている。
【００１８】
なお、アナログ局線トランク１００は、例えば、単数または複数の電子部品が搭載され、電気回路が形成された基板である。また、パラメータ設定用回路１１０は、例えば、プログラム制御に従って処理を実行するＤＳＰ（Ｄｉｇｉｔａｌ  Ｓｉｇｎａｌ  Ｐｒｏｃｅｓｓｏｒ）等の単数または複数の回路によって実現される。ＦＰＧＡ１２０は、例えば、プログラム制御に従って処理を実行する単数または複数の回路によって実現されていればよく、ＦＰＧＡでなくてもよい。また、アナログＣＯＤＥＣ１３０は、プログラム制御に従って処理を実行する単数または複数の回路によって実現されていればよく、アナログＣＯＤＥＣでなくてもよい。
【００１９】
アナログ局線トランク１００には、内線トランク１５０を介して内線端末３００が接続されている。
【００２０】
ＦＰＧＡ１２０には、パラメータ設定用回路１１０、アナログＣＯＤＥＣ１３０および内線トランク１５０が接続されている。そして、アナログＣＯＤＥＣ１３０には、ハイブリッド回路１４０、通信回線２２０、およびアナログ加入者線交換機４００を介して、対向局装置５００が接続されている。
【００２１】
対向局装置５００は、例えば、ＰＢＸやＰＢＸに相当する装置である。そして、対向局装置５００には、例えば、複数の加入者端末が接続されている。また、ハイブリッド回路１４０は、いわゆる、２線４線変換回路である。
【００２２】
アナログＣＯＤＥＣ１３０は、当該ＦＰＧＡ１２０が入力したデジタル信号を、ＦＰＧＡ１２０による設定内容に従ったアナログ信号に変換する。そして、アナログＣＯＤＥＣ１３０は、ハイブリッド回路１４０に変換後のアナログ信号を入力する。また、アナログＣＯＤＥＣ１３０は、ハイブリッド回路１４０が入力したアナログ信号をデジタル信号に変換する。そして、アナログＣＯＤＥＣ１３０は、変換後のデジタル信号をＦＰＧＡ１２０に入力する。
【００２３】
ハイブリッド回路１４０は、通信回線２２０を介して接続されたアナログ加入者線交換機４００にアナログＣＯＤＥＣ１３０が入力したアナログ信号を送信する。また、ハイブリッド回路１４０は、アナログ加入者線交換機４００が送信したアナログ信号を通信回線２２０を介して受信する。そして、ハイブリッド回路１４０は、受信したアナログ信号をアナログＣＯＤＥＣ１３０に入力する。
【００２４】
アナログ加入者線交換機４００は、ハイブリッド回路１４０が送信したアナログ信号を通信回線２２０を介して受信する。そして、アナログ加入者線交換機４００は、受信したアナログ信号を対向局装置５００に送信する。また、アナログ加入者線交換機４００は、対向局装置５００が送信したアナログ信号を受信する。なお、アナログ加入者線交換機４００が対向局装置５００から受信するアナログ信号には、後述する、送信した校正信号に応じた反射信号が含まれる。そして、アナログ加入者線交換機４００は、受信したアナログ信号をアナログ局線トランク１００に送信する。
【００２５】
内線トランク１５０は、内線端末３００とデジタル信号を送受信する。そして、内線トランク１５０は、内線端末３００から受信したデジタル信号をＦＰＧＡ１２０に入力する。また、内線トランク１５０は、接続された内線端末３００に、ＦＰＧＡ１２０が入力したデジタル信号を送信する。
【００２６】
したがって、内線端末３００と対向局装置５００とは、内線トランク１５０、ＦＰＧＡ１２０、アナログＣＯＤＥＣ１３０、ハイブリッド回路１４０、通信回線２２０、およびアナログ加入者線交換機４００を介して、信号を送受信する。
【００２７】
また、図１に示すように、パラメータ設定用回路１１０は、校正信号送信部１１１、周波数制御部１１２、レベル制御部１１３、ＢＮＷ環境条件算出部１１４、および補正用パラメータ算出部１１５を含む。
【００２８】
そして、図１に示すようにＦＰＧＡ１２０は、音声パス制御部１２１、アナログＣＯＤＥＣ制御インタフェース１２２、および補正用パラメータ設定部１２３を含む。
【００２９】
パラメータ設定用回路１１０の校正信号送信部１１１は、デコード後のアナログ信号が所定の周波数スペクトラムを形成するように、周波数制御部１１２およびレベル制御部１１３によって調整されたデジタル信号である校正信号を生成して、ＦＰＧＡ１２０の音声パス制御部１２１に入力する。なお、周波数制御部１１２は、例えば、２００〜３６００Ｈｚ等の可聴周波数の範囲内等で、様々な周波数の校正信号をそれぞれ生成するように校正信号送信部１１１を制御してもよい。また、レベル制御部１１３は、−３〜５５ｄＢ等の可聴領域の範囲内等で、様々なレベル（信号強度）の校正信号をそれぞれ生成するように校正信号送信部１１１を制御してもよい。
【００３０】
ＦＰＧＡ１２０の音声パス制御部１２１は、アナログＣＯＤＥＣ制御インタフェース１２２を介して、内線端末３００によって送信されたデジタル信号、およびパラメータ設定用回路１１０の校正信号送信部１１１が入力した校正信号をアナログＣＯＤＥＣ１３０に入力する。
【００３１】
また、ＦＰＧＡ１２０の音声パス制御部１２１は、アナログＣＯＤＥＣ１３０によって、校正信号に応じた反射信号がアナログＣＯＤＥＣ制御インタフェース１２２に入力された場合に、当該反射信号をパラメータ設定用回路１１０のＢＮＷ環境条件算出部１１４に送信する。なお、音声パス制御部１２１は、例えば、校正信号をアナログＣＯＤＥＣ１３０に入力してから所定の時間内にアナログＣＯＤＥＣ１３０によってアナログＣＯＤＥＣ制御インタフェース１２２に入力された信号を反射信号と判断する。
【００３２】
ＢＮＷ環境条件算出部１１４は、校正信号送信部１１１が生成した校正信号と、ＦＰＧＡ１２０の音声パス制御部１２１が入力した反射信号とに基づいて、評価処理を行う。具体的には、ＢＮＷ環境条件算出部１１４は、例えば、可聴周波数帯における所定の各周波数の信号成分のレベル変動や、同レベルにおける周波数変動時の遅延量や減衰量等を算出する。なお、それらの算出には既知の方法が用いられる。そして、ＢＮＷ環境条件算出部１１４は、算出結果が所定の収束範囲内であるか否かを判定した結果に基づいて、アナログ局線トランク１００と対向局装置５００との間でインピーダンス整合してＢＮＷを構成するためのパラメータがアナログＣＯＤＥＣ１３０に設定されているか否かを判断する評価処理を行う。
【００３３】
ＢＮＷ環境条件算出部１１４は、算出結果が所定の収束範囲内でないと判定した場合に、算出結果に基づいて、アナログ局線トランク１００と対向局装置５００との間の環境条件を算出する。
【００３４】
図２は、アナログ局線トランク１００と対向局装置５００との間の環境条件を示す説明図である。アナログ局線トランク１００と対向局装置５００との間の電気的特性は、図２に例示したような等価回路で示される。図２に示す例では、対向局装置５００に至る、通信回線２２０を含む線路の電気的特性が、インダクタＬ１と抵抗Ｒ１とが互いに直列接続された等価回路で示されている。また、図２に示す例では、アナログ加入者線交換機４００および対向局装置５００を含むＣＰＥ（Ｃｕｓｔｏｍｅｒ  Ｐｒｅｍｉｓｅｓ  Ｅｑｕｉｐｍｅｎｔ：顧客構内設備）の電気的特性が、抵抗Ｒ２と、当該抵抗Ｒ２に直列接続され、互いに並列接続されたキャパシタＣ１および抵抗Ｒ３とによる等価回路で示されている。
【００３５】
そして、ＢＮＷ環境条件算出部１１４は、図２に例示したような等価回路における各構成要素の特性値を既知の方法で算出することによって、アナログ局線トランク１００と対向局装置５００との間の環境条件を示すことができる。
【００３６】
なお、ＢＮＷ環境条件算出部１１４は、例えば、算出結果を所定の評価関数に適用して算出した値が所定の値以下であるか否かに基づいて、アナログ局線トランク１００と対向局装置５００との間でインピーダンス整合してＢＮＷを構成するためパラメータがアナログＣＯＤＥＣ１３０に設定されたか否かを判断する。
【００３７】
ＢＮＷ環境条件算出部１１４は、校正信号送信部１１１が生成した校正信号と、当該校正信号に応じ、ＦＰＧＡ１２０の音声パス制御部１２１が入力した反射信号とに基づいて算出した、可聴周波数帯における所定の各周波数の信号成分のレベル変動や、同レベルにおける周波数変動時の遅延量や減衰量等に基づいて、アナログ局線トランク１００と対向局装置５００との間でインピーダンス整合してＢＮＷを構成するための環境条件を算出する。
【００３８】
補正用パラメータ算出部１１５は、ＢＮＷ環境条件算出部１１４が算出した環境条件に基づいて、アナログＣＯＤＥＣ１３０に設定するパラメータを決定する。なお、補正用パラメータ算出部１１５は、例えば、ＢＮＷ環境条件算出部１１４が算出した環境条件に基づいて、既知の方法を用いて、ＴＢＲＬ（Ｔｅｒｍｉｎａｌ  Ｂａｌａｎｃｅ  Ｒｅｔｕｒｎ  Ｌｏｓｓ）や、反射損失（Ｒｅｔｕｒｎ  Ｌｏｓｓ）、線形性（Ｌｉｎｅａｒｉｔｙ）等の音声品質のパラメータを決定する。
【００３９】
ＦＰＧＡ１２０の補正用パラメータ設定部１２３は、補正用パラメータ算出部１１５が決定したパラメータを、アナログＣＯＤＥＣ制御インタフェース１２２を介してアナログＣＯＤＥＣ１３０に設定する。
【００４０】
次に、本実施形態におけるＦＰＧＡ１２０およびパラメータ設定用回路１１０の動作について説明する。図３は、本実施形態において、アナログＣＯＤＥＣ１３０にパラメータを設定する場合のＦＰＧＡ１２０およびパラメータ設定用回路１１０の動作を示すシーケンス図である。
【００４１】
図３に示すように、パラメータ設定用回路１１０（より具体的には校正信号送信部１１１）は、所定のタイミングで、周波数制御部１１２およびレベル制御部１１３の制御に従って校正信号を生成し、生成した校正信号をＦＰＧＡ１２０（より具体的には音声パス制御部１２１）に入力する（ステップＳ１０１）。なお、所定のタイミングとは、例えば、所定の時間間隔や、管理者によって指定されたタイミング、通信回線２２０が敷設されたり対向局装置５００等が設置されたりしたタイミング等である。
【００４２】
ＦＰＧＡ１２０（より具体的には音声パス制御部１２１）は、パラメータ設定用回路１１０（より具体的には校正信号送信部１１１）によって校正信号が入力された場合に、入力された校正信号をアナログＣＯＤＥＣ制御インタフェース１２２を介してアナログＣＯＤＥＣ１３０に入力する（ステップＳ１０２）。
【００４３】
アナログＣＯＤＥＣ１３０は、入力された校正信号をＦＰＧＡ１２０による設定内容に従ったアナログ信号の校正信号に変換する（ステップＳ１０３）。そして、アナログＣＯＤＥＣ１３０は、ハイブリッド回路１４０に変換後の校正信号を入力する（ステップＳ１０４）。
【００４４】
ハイブリッド回路１４０は、通信回線２２０を介して接続されたアナログ加入者線交換機４００を介して対向局装置５００にアナログＣＯＤＥＣ１３０が入力した校正信号を送信する（ステップＳ１０５）。なお、対向局装置５００は、無音状態に設定されているとする。そして、ハイブリッド回路１４０は、通信回線２２０およびアナログ加入者線交換機４００を介して、対向局装置５００から校正信号に応じた反射信号を受信する（ステップＳ１０６）。そして、ハイブリッド回路１４０は、ステップＳ１０６の処理で受信した反射信号をアナログＣＯＤＥＣ１３０に入力する（ステップＳ１０７）。
【００４５】
アナログＣＯＤＥＣ１３０は、ステップＳ１０７の処理で入力された反射信号をデジタル信号に変換する（ステップＳ１０８）。そして、アナログＣＯＤＥＣ１３０は、デジタル信号に変換後の反射信号をＦＰＧＡ１２０（より具体的にはアナログＣＯＤＥＣ制御インタフェース１２２を介して音声パス制御部１２１）に入力する（ステップＳ１０９）。
【００４６】
ＦＰＧＡ１２０（より具体的には音声パス制御部１２１）は、パラメータ設定用回路１１０（より具体的にはＢＮＷ環境条件算出部１１４）に、ステップＳ１０９の処理でアナログＣＯＤＥＣ１３０が入力した反射信号を入力する（ステップＳ１１０）。
【００４７】
パラメータ設定用回路１１０（より具体的にはＢＮＷ環境条件算出部１１４）は、ステップＳ１０１の処理で送信した校正信号とステップＳ１１１の処理で入力された反射信号とに基づいて評価処理を行う（ステップＳ１１１）。
【００４８】
そして、パラメータ設定用回路１１０（より具体的にはＢＮＷ環境条件算出部１１４）は、アナログ局線トランク１００と対向局装置５００との間でインピーダンス整合してＢＮＷを構成するためのパラメータが設定されていると判断した場合に処理を終了し（ステップＳ１１２のＹ）、そうでない場合に（ステップＳ１１２のＮ）、ステップＳ１１３の処理に移行する。
【００４９】
パラメータ設定用回路１１０（より具体的にはＢＮＷ環境条件算出部１１４）は、ステップＳ１１３の処理で、ステップＳ１０１の処理でＦＰＧＡ１２０に入力した校正信号と、ステップＳ１１１の処理で入力された反射信号とに基づいて、環境条件を算出する（ステップＳ１１３）。
【００５０】
パラメータ設定用回路１１０（より具体的には補正用パラメータ算出部１１５）は、ステップＳ１１３の処理で算出された環境条件に基づいて、アナログＣＯＤＥＣ１３０に設定するパラメータを算出する（ステップＳ１１４）。
【００５１】
そして、パラメータ設定用回路１１０（より具体的には補正用パラメータ算出部１１５）は、ステップＳ１１４の処理で算出したパラメータを示すパラメータ情報をＦＰＧＡ１２０（より具体的には補正用パラメータ設定部１２３）に入力する（ステップＳ１１５）。
【００５２】
ＦＰＧＡ１２０（より具体的には補正用パラメータ設定部１２３）は、ステップＳ１１５の処理で入力されたパラメータ情報が示すパラメータをアナログＣＯＤＥＣ制御インタフェース１２２を介してアナログＣＯＤＥＣ１３０に設定する（ステップＳ１１６）。
【００５３】
そして、パラメータ設定用回路１１０は、ステップＳ１０１の処理に移行する。
【００５４】
本実施形態によれば、アナログ局線トランク１００のパラメータ設定用回路１１０が生成してアナログ信号に変換された校正信号が対向局装置５００に送信される。そして、当該校正信号が対向局装置５００によって反射された反射信号が、ハイブリッド回路１４０によって受信されてアナログＣＯＤＥＣ１３０およびＦＰＧＡ１２０を介してパラメータ設定用回路１１０に入力される。パラメータ設定用回路１１０は、校正信号と反射信号とに基づいて、評価処理を行い、アナログ局線トランク１００と対向局装置５００との間でインピーダンス整合してＢＮＷを構成するためのパラメータがアナログＣＯＤＥＣ１３０に設定されているか否かを判断する。そして、パラメータ設定用回路１１０は、アナログ局線トランク１００と対向局装置５００との間でインピーダンス整合してＢＮＷを構成するためのパラメータがアナログＣＯＤＥＣ１３０に設定されていないと判断した場合に、校正信号と反射信号とに基づいて新たなパラメータを算出する。そして、算出されたパラメータは、ＦＰＧＡ１２０によってアナログＣＯＤＥＣ１３０に設定され、アナログ局線トランク１００と対向局装置５００との間でインピーダンス整合してＢＮＷを構成するためのパラメータがアナログＣＯＤＥＣ１３０に設定されたと判断されるまで、処理が繰り返される。
【００５５】
したがって、アナログ局線トランク１００と対向局装置５００との間でインピーダンス整合してＢＮＷを構成するための環境条件に応じて、適切なパラメータがアナログＣＯＤＥＣ１３０に設定される。よって、アナログ局線トランク１００と対向局装置５００との間でより精緻にインピーダンス整合されてＢＮＷが構成され、アナログ通信回線を介して送受信される信号に基づく音声の質の劣化等の問題の発生を良好に抑止することができる。
【００５６】
また、本実施形態によれば、アナログＣＯＤＥＣ１３０に設定される、アナログ局線トランク１００と対向局装置５００との間の環境条件は、校正信号と反射信号とに基づいて算出される。したがって、予め登録されているパラメータから選択する場合に比べて、より適切なパラメータをアナログＣＯＤＥＣ１３０に設定することができる。よって、伝送距離や、配線条件等に制約されることなく、より柔軟に適切なパラメータをアナログＣＯＤＥＣ１３０に設定することができる。したがって、アナログ通信回線を介して送受信される信号に基づく音声の質の劣化等の問題の発生を良好に抑止することができる。
【００５７】
さらに、本実施形態によれば、アナログ局線トランク１００と対向局装置５００との間でインピーダンス整合してＢＮＷを構成するためのパラメータを算出してアナログＣＯＤＥＣ１３０に設定する処理が自動的に繰り返される。したがって、アナログ局線トランク１００と対向局装置５００との間でインピーダンス整合してＢＮＷを構成する管理者の工数を削減することができる。そして、アナログ局線トランク１００と対向局装置５００との間でインピーダンス整合してＢＮＷを構成するための費用を削減することができる。
【００５８】
実施形態２
次に、本発明の第２の実施形態の信号調整用モジュール１０について、図面を参照して説明する。図４は、本発明の第２の実施形態の信号調整用モジュール１０の構成例を示すブロック図である。図４に示すように、本発明の第２の実施形態の信号調整用モジュール１０は、電気的特性算出部１４、パラメータ決定部１５、パラメータ設定部１３、および整合判定部１６を含む。
【００５９】
電気的特性算出部１４は、図１に示す第１の実施形態におけるＢＮＷ環境条件算出部１１４に相当する。パラメータ決定部１５は、図１に示す第１の実施形態における補正用パラメータ算出部１１５に相当する。パラメータ設定部１３は、図１に示す第１の実施形態における補正用パラメータ設定部１２３に相当する。整合判定部１６は、図１に示す第１の実施形態におけるＢＮＷ環境条件算出部１１４に相当する。
【００６０】
電気的特性算出部１４は、通信回線を介して互いに接続された一方の通信装置（図１に示す対向局装置５００に相当）と他方の通信装置（図１に示す内線端末３００に相当）とのうち、一方の通信装置との間の電気的特性を、一方の通信装置に送信された校正信号と、校正信号に応じた反射信号とに基づいて算出する。
【００６１】
パラメータ決定部１５は、電気的特性算出部１４による算出結果に応じて、一方の通信装置に送信する信号を設定されたパラメータに基づいて変換する信号変換手段（図１に示すアナログＣＯＤＥＣ１３０に相当）に設定されるパラメータを決定する。
【００６２】
パラメータ設定部１３は、パラメータ決定部１５が決定したパラメータを信号変換手段に設定する。
【００６３】
整合判定部１６は、校正信号と反射信号とに基づいて、一方の通信装置との間でインピーダンス整合されたか否かを判定する。
【００６４】
そして、パラメータ決定部１５は、整合判定部１６による判定結果と、電気的特性算出部１４による算出結果とに基づいて、パラメータを決定する。
【００６５】
本実施形態によれば、インピーダンス整合するためのパラメータを適切に設定することができる。
【符号の説明】
【００６６】
１０    信号調整用モジュール
１３    パラメータ設定部
１４    電気的特性算出部
１５    パラメータ決定部
１６    整合判定部
１００    アナログ局線トランク
１１０    パラメータ設定用回路
１１１    校正信号送信部
１１２    周波数制御部
１１３    レベル制御部
１１４    ＢＮＷ環境条件算出部
１１５    補正用パラメータ算出部
１２０    ＦＰＧＡ
１２１    音声パス制御部
１２２    アナログＣＯＤＥＣ制御インタフェース
１２３    補正用パラメータ設定部
１３０    アナログＣＯＤＥＣ
１４０    ハイブリッド回路
１５０    内線トランク
１６０    信号調整用システム
２２０    通信回線
３００    内線端末
４００    アナログ加入者線交換機
５００    対向局装置
６００    ＣＰＥ
Ｒ１、Ｒ２、Ｒ３    抵抗
Ｌ１    インダクタ
Ｃ１    キャパシタ
【図１】
0006557092.tif 000002
【図２】
0006557092.tif 000003
【図３】
0006557092.tif 000004
【図４】
0006557092.tif 000005